(57)【要約】【課題】パターが出し入れされる開口部分を閉じる手段を設けることなく、簡単な操作でパターへの着脱が可能なパター用カバーを提供する。【解決手段】パター用カバー１Ａは、非伸縮性または難伸縮性の素材で形成された収納部２Ａと、伸縮性の素材で形成された伸縮部３Ａと、収納部２Ａに形成されたスリット部４Ａを備え、収納部２Ａは、パターのヘッド部を保護するヘッド収納部２０Ａ、及びパターのヘッド部とシャフトが繋がる部位のネック部の近傍を保護するネック収納部２１Ａが一体に設けられると共に、ネック収納部２１Ａの下端に開口部２２Ａが設けられ、スリット部４Ａは、収納部２Ａにおけるネック収納部２１Ａの背面側に、開口部２２Ａから繋がる切れ込みを設けて構成される。【選択図】図１
2014018415.tif 000002
【特許請求の範囲】
【請求項１】
非伸縮性または難伸縮性の素材で形成された収納部と、
伸縮性の素材で形成された伸縮部と、
前記収納部に形成されたスリット部を備え、
前記収納部は、パターのヘッド部を保護するヘッド収納部、及び前記ヘッド部とシャフトが繋がる部位のネック部の近傍を保護するネック収納部が一体に設けられると共に、前記ネック収納部の下端に開口部が設けられ、
前記スリット部は、前記収納部における前記ネック収納部の背面側に、前記開口部から繋がる切れ込みを設けて構成される
ことを特徴とするパター用カバー。
【請求項２】
前記伸縮部は、前記収納部の正面側で前記ヘッド収納部の下面から前記ネック収納部の正面へ繋がる帯状に構成される
ことを特徴とする請求項１に記載のパター用カバー。
【請求項３】
前記収納部は、前記スリット部より上側で、前記ヘッド収納部の背面側の内面を、背面側に向けて凸状として保持部を備えた
ことを特徴とする請求項１または請求項２に記載のパター用カバー。
【発明の詳細な説明】
【技術分野】
【０００１】
本発明は、ゴルフで使用されるパター用のヘッド部を保護するパター用カバーに関する。
【背景技術】
【０００２】
ゴルフクラブのヘッド部を保護するために、ヘッド部にカバーを被せることが行われている。従来、ドライバクラブ用のカバーは様々な形態のものが提案されているが、近年、パター用のカバーも提案されている。
【０００３】
パター用のカバーとしては、袋状のカバーの背面側に、背面側の全体が開く開口を設け、開口部分からパターを出し入れすると共に、開口部分を面ファスナで閉じることができるようにした構成が提案されている（例えば、特許文献１参照）。
【０００４】
また、開口部分を磁石で閉じることができるようにした構成が提案されている（例えば、特許文献２参照）。
【先行技術文献】
【特許文献】
【０００５】
【特許文献１】特開２００４−２４９０８５号公報
【特許文献２】特表２０１１−５１６１１９号公報
【発明の概要】
【発明が解決しようとする課題】
【０００６】
従来のパター用カバーでは、面ファスナで閉じている開口部分を手で開ける、あるいは、磁石で閉じているスリット状の開口部分を手で開ける等の操作をして、パターに着脱する動作が行われ、パター用カバーを容易に着脱することができなかった。
【０００７】
また、面ファスナを使用したパター用カバーでは、面ファスナを開閉する際に生じる音が、プレイの妨げになることがあった。更に、磁石を使用したパター用カバーでは、パター用カバーの価格に占めるマグネットの価格が大きく、コストが高い。クラブセットの付属品としてパター用カバーが提供される場合、製品価格の上昇に繋がる。
【０００８】
本発明は、このような課題を解決するためなされたもので、パターが出し入れされる開口部分を閉じる手段を設けることなく、簡単な操作でパターへの着脱が可能なパター用カバーを提供することを目的とする。
【課題を解決するための手段】
【０００９】
上述した課題を解決するため、本発明は、非伸縮性または難伸縮性の素材で形成された収納部と、伸縮性の素材で形成された伸縮部と、収納部に形成されたスリット部を備え、収納部は、パターのヘッド部を保護するヘッド収納部、及びヘッド部とシャフトが繋がる部位のネック部の近傍を保護するネック収納部が一体に設けられると共に、ネック収納部の下端に開口部が設けられ、スリット部は、収納部におけるネック収納部の背面側に、開口部から繋がる切れ込みを設けて構成されるパター用カバーである。
【００１０】
本発明では、パター用カバーを片手で持ち、パターのヘッド部が、収納部の開口部側から出し入れされる。収納部において、開口部とつながるスリット部が設けられる部位は、非伸縮性あるいは難伸縮性の素材で構成されており、型崩れし難い。これにより、スリット部を手で開く等の操作をせずに、パターのヘッド部を、収納部の開口部及びスリット部から出し入れすることができる。
【００１１】
パター用カバーをパターのヘッド部に被せる動作で、パターのヘッド部の形状等によっては、ヘッド部等が収納部の内面に当たる。収納部には、伸縮性を有する素材で構成された伸縮部が設けられ、パター用カバーをパターのヘッド部に被せる動作で伸縮部が伸び、収納部の内幅を変えることができる。これにより、収納部の背面全体が開口するような形状でなくても、様々な形態のパターが出し入れ可能である。
【００１２】
パター用カバーをパターのヘッド部に被せる動作で、パターのヘッド部がスリット部を通過すると、ヘッド部が収納部のヘッド収納部に入る。収納部は、ヘッド収納部の背面側が開口しておらず、スリット部を閉じるような構成がなくても、パターのヘッド部からパター用カバーが不用意に脱落することを防ぐことができる。
【発明の効果】
【００１３】
本発明によれば、片手でパター用カバーを持ち、収納部の開口部とスリット部にパターのヘッド部を出し入れする動作で、容易にパター用カバーをパターに対して着脱することができる。
【００１４】
また、本発明のパター用カバーでは、磁石を使用しておらず、製品コストを下げることができる。更に、本発明のパター用カバーでは、面ファスナを使用しておらず、パター用カバーの着脱で、プレイの妨げになるような音が発生しない。
【図面の簡単な説明】
【００１５】
【図１】本実施の形態のパター用カバーの一例を示す背面側から見た斜視図である。
【図２】本実施の形態のパター用カバーの一例を示す正面側から見た斜視図である。
【図３】本実施の形態のパター用カバーの一例を示す側面図である。
【図４】本実施の形態のパター用カバーの一例を示す背面図である。
【図５】本実施の形態のパター用カバーの一例を示す正面図である。
【図６】本実施の形態のパター用カバーの一例を示す下面図である。
【図７】本実施の形態のパター用カバーの使用例を示す側面図である。
【図８】本実施の形態のパター用カバーの使用例を示す側面図である。
【図９】本実施の形態のパター用カバーの使用例を示す側面図である。
【図１０】本実施の形態のパター用カバーの他の使用例を示す下面図である。
【発明を実施するための形態】
【００１６】
以下、図面を参照して、本発明のパター用カバーの実施の形態について説明する。
【００１７】
＜本実施の形態のパター用カバーの構成例＞
図１は、本実施の形態のパター用カバーの一例を示す背面側から見た斜視図、図２は、本実施の形態のパター用カバーの一例を示す正面側から見た斜視図である。また、図３は、本実施の形態のパター用カバーの一例を示す側面図、図４は、本実施の形態のパター用カバーの一例を示す背面図、図５は、本実施の形態のパター用カバーの一例を示す正面図、図６は、本実施の形態のパター用カバーの一例を示す下面図である。
【００１８】
本実施の形態のパター用カバー１Ａは、非伸縮性または難伸縮性の素材で形成された収納部２Ａと、伸縮性の素材で形成された伸縮部３Ａと、収納部２Ａに形成されたスリット部４Ａを備える。
【００１９】
収納部２Ａは、パター１０Ａのヘッド部１１Ａと、ヘッド部１１Ａとシャフト１２Ａが繋がる部位のネック部１３Ａの近傍を保護できるように、ヘッド収納部２０Ａとネック収納部２１Ａが一体に設けられ、側面から見た形状が逆Ｌ型に構成される。収納部２Ａは、ヘッド部１１Ａが出し入れできるように、ネック収納部２１Ａの下端に開口部２２Ａが設けられた袋状に構成される。
【００２０】
収納部２Ａは、所望の形状が保持できるように、伸縮性を有しない非伸縮性、あるいは伸縮性の少ない難伸縮性の素材で構成され、本例では、表地が合成皮革あるいは人工皮革で構成され、裏地が布地で構成される。
【００２１】
収納部２Ａは、ヘッド部１１Ａの形状が異なるパター１０Ａに対応できるように、本例では、ヘッド収納部２０Ａの前端側が横方向に幅が広がる形状とし、ネック収納部２１Ａ側が縦方向に幅が広がる形状としている。収納部２Ａは、非伸縮性あるいは難伸縮性の素材で構成されるが、このような形状とすることで、伸縮部３Ａの伸縮と併せて、パター１０Ａのヘッド部１１Ａの形状に合わせて任意に変形が可能である。
【００２２】
伸縮部３Ａは、上下左右方向に伸縮可能な素材で構成され、本例では、表地及び裏地ともリブ編地で構成される。伸縮部３Ａは、収納部２Ａの正面側であるヘッド収納部２０Ａの下面からネック収納部２１Ａの正面へ繋がる帯状で、特に、左右方向である幅方向の伸縮性を大きくするため、畝及び畦と称される凹凸形状が、幅方向に並ぶ向きで構成される。
【００２３】
伸縮部３Ａは、本例のように、ネック収納部２１Ａ側を広くして、開口部２２Ａが大きく開くように伸縮性を持たせても良いし、全体を同一の幅で構成しても良い。
【００２４】
スリット部４Ａは、収納部２Ａにおけるネック収納部２１Ａの背面側に、開口部２２Ａから繋がる切れ込みを設けて構成される。
【００２５】
収納部２Ａは、非伸縮性あるいは難伸縮性の素材で構成された部位であるネック収納部２１Ａの背面側の略全体が左右に分割する形態でスリット部４Ａが設けられ、スリット部４Ａより上側の部位の背面側が閉塞する。これにより、収納部２Ａは、パター１０Ａのヘッド部１１Ａが収納される部位であるヘッド収納部２０Ａの背面側が閉塞する。
【００２６】
収納部２Ａは、ヘッド収納部２０Ａの背面側の内面に、パター１０Ａのヘッド部１１Ａからの脱落を防止する保持部２３Ａを備える。保持部２３Ａは、収納部２Ａにおいて、スリット部４Ａより上側の内面を、背面側に向けて凸状として構成される。
【００２７】
＜本実施の形態のパター用カバーの使用例＞
図７〜図９は、本実施の形態のパター用カバーの使用例を示す側面図で、次に、本実施の形態のパター用カバー１Ａを、パター１０Ａに脱着する動作について説明する。
【００２８】
パター用カバー１Ａをパター１０Ａに被せるには、パター１０Ａのシャフト１２Ａを一方の手で持ち、パター用カバー１Ａをもう一方の手で持ち、図７に示すように、パター１０Ａのヘッド部１１Ａを、収納部２Ａの開口部２２Ａ側から入れる。
【００２９】
パター用カバー１Ａは、収納部２Ａの背面側に、開口部２２Ａと繋がるスリット部４Ａが設けられる。収納部２Ａにおいて、スリット部４Ａが設けられる部位は、非伸縮性あるいは難伸縮性の素材で構成されており、型崩れし難い。
【００３０】
これにより、パター用カバー１Ａをパター１０Ａのヘッド部１１Ａに被せる動作で、スリット部４Ａを手で開く等の操作をせずに、パター１０Ａのヘッド部１１Ａを、収納部２Ａの開口部２２Ａ及びスリット部４Ａから入れることができる。
【００３１】
パター用カバー１Ａをパター１０Ａのヘッド部１１Ａに被せる動作で、パター１０Ａのヘッド部１１Ａの形状等によっては、ヘッド部１１Ａあるいはシャフト１２Ａが伸縮部３Ａに当たる。伸縮部３Ａは、伸縮性を有する素材であり、パター用カバー１Ａをパター１０Ａのヘッド部１１Ａに被せる動作で、図８に示すように、ヘッド部１１Ａあるいはシャフト１２Ａに当たる部位が押されることで矢印Ｗ１方向に伸び、収納部２Ａの内幅を、ヘッド収納部２０Ａとネック収納部２１Ａの両方で自在に変えることができる。
【００３２】
これにより、収納部２Ａの背面側の全体が開口するような形状とすることなく、任意の形状のヘッド部１１Ａにパター用カバー１Ａを被せることができる。
【００３３】
パター用カバー１Ａをパター１０Ａのヘッド部１１Ａに被せる動作で、パター１０Ａのヘッド部１１Ａがスリット部４Ａを通過すると、図９に示すように、ヘッド部１１Ａが収納部２Ａのヘッド収納部２０Ａに入る。
【００３４】
収納部２Ａは、背面側が全体にわたり開口する形状ではなく、ヘッド収納部２０Ａの背面側が閉じられており、スリット部４Ａを閉じるような構成がなくても、パター１０Ａのヘッド部１１Ａからパター用カバー１Ａが不用意に脱落することを防ぐことができる。
【００３５】
また、収納部２Ａは、ヘッド収納部２０Ａの背面側の内面が凸状に構成されて保持部２３Ａが設けられ、ヘッド部１１Ａが収納部２Ａのヘッド収納部２０Ａに入ると、ヘッド部１１Ａの後端を保持部２３Ａに引っ掛けることができる。
【００３６】
これにより、パター１０Ａのヘッド部１１Ａからパター用カバー１Ａが不用意に脱落することを防ぐことができる。
【００３７】
パター用カバー１Ａをパター１０Ａから外すには、パター１０Ａのシャフト１２Ａを一方の手で持ち、パター用カバー１Ａをもう一方の手で持ち、パター用カバー１Ａとパター１０Ａが離れる方向に動かす。
【００３８】
パター用カバー１Ａをパター１０Ａのヘッド部１１Ａから外す動作で、ヘッド部１１Ａあるいはシャフト１２Ａが伸縮部３Ａに当たると、図８に示すように、ヘッド部１１Ａあるいはシャフト１２Ａに当たる部位が押されることで、伸縮部３Ａが矢印Ｗ１方向に伸び、収納部２Ａの内幅が、ヘッド収納部２０Ａとネック収納部２１Ａの両方で変えられる。
【００３９】
これにより、収納部２Ａの背面側の全体が開口するような形状とすることなく、任意の形状のヘッド部１１Ａからパター用カバー１Ａを外す動作を開始することができる。
【００４０】
パター用カバー１Ａをパター１０Ａのヘッド部１１Ａから外す動作で、スリット部４Ａの上端位置までヘッド部１１Ａが動かされると、スリット部４Ａを手で開く等の操作をすることなく、図７に示すように、パター１０Ａのヘッド部１１Ａがスリット部４Ａに入る。
【００４１】
これにより、パター用カバー１Ａをパター１０Ａのヘッド部１１Ａから外す動作で、パター用カバー１Ａとパター１０Ａを離れる方向に動かすと、スリット等の開口部分を開く操作を別に行うことなく、ヘッド部１１Ａからパター用カバー１Ａを外すことができる。
【００４２】
図１０は、本実施の形態のパター用ケースの他の使用例を示す下面図である。奥行き方向に長い形状のヘッド部１１Ｂを持つパター１０Ｂが収納される場合、伸縮部３Ａが、収納部２Ａの正面側でヘッド収納部２０Ａの下面からネック収納部２１Ａの正面へ繋がる帯状に構成されるので、伸縮部３Ａの幅が矢印Ｗ２方向に広がることで、収納部２Ａの後端側の内幅が広がる。これにより、ヘッド部の形状が異なるパターにも対応できる。
【００４３】
＜本実施の形態のパター用カバーの効果例＞
従来のパター用カバーでは、面ファスナで閉じている開口部分を手で開ける、あるいは、磁石で閉じているスリット状の開口部分を手で開ける等の操作をして、パターに着脱する動作が行われ、パター用カバーを容易に着脱することができなかった。また、面ファスナを使用したパター用カバーでは、面ファスナを開閉する際に生じる音が、プレイの妨げになることがあった。更に、磁石を使用したパター用カバーでは、パター用カバーの価格に占めるマグネットの価格が大きく、コストが高い。
【００４４】
これに対して、本実施の形態のパター用カバー１Ａでは、片手でパター用カバー１Ａを持ち、収納部２Ａの開口部２２Ａとスリット部４Ａにパター１０Ａのヘッド部１１Ａを出し入れする動作で、容易にパター用カバー１Ａをパター１０Ａに対して着脱することができる。
【００４５】
また、本実施の形態のパター用カバー１Ａでは、磁石を使用しておらず、製品コストを下げることができる。更に、本実施の形態のパター用カバー１Ａでは、面ファスナを使用しておらず、パター用カバー１Ａの着脱で、プレイの妨げになるような音が発生しない。
【産業上の利用可能性】
【００４６】
本発明は、ゴルフクラブの中で、特にパターのヘッド部のカバーに適用される。
【符号の説明】
【００４７】
１Ａ・・・パター用カバー、２Ａ・・・収納部、３Ａ・・・伸縮部、４Ａ・・・スリット部、１０Ａ・・・パター、１１Ａ・・・ヘッド部、１２Ａ・・・シャフト、１３Ａ・・・ネック部、２０Ａ・・・ヘッド収納部、２１Ａ・・・ネック収納部、２２Ａ・・・開口部、２３Ａ・・・保持部
【図１】
2014018415.tif 000003
【図２】
2014018415.tif 000004
【図３】
2014018415.tif 000005
【図４】
2014018415.tif 000006
【図５】
2014018415.tif 000007
【図６】
2014018415.tif 000008
【図７】
2014018415.tif 000009
【図８】
2014018415.tif 000010
【図９】
2014018415.tif 000011
【図１０】
2014018415.tif 000012